(57)【特許請求の範囲】
【請求項１】
システム内に相互に無線伝送する複数の警報機を含み、これらの警報機は機器識別情報を含ませた火災信号を送信する一方、受信した火災信号中の機器識別符号に基づいて他システムに属する機器を除外し、火災発生時にはシステム内の警報機が連動して警報を出力する、無線連動型の火災警報システムに付加される移報装置であって、
前記無線伝送は、同期、非同期切替方式であり、
前記火災信号は、火災検知した子警報器が送信する火災連動要求信号と、この火災連動要求信号を受けた親警報機がシステム内の警報機の連動警報のために送信する火災連動鳴動信号とを含んでおり、子警報器は前記火災連動要求信号又は前記火災連動鳴動信号を受信すると連動警報を開始し、更に火災連動鳴動信号を送信した親警報機はビーコン信号の周期的な送信を開始することで前記無線伝送を非同期から同期方式に切替え、
前記移報装置は、
前記火災信号を送受信する無線部と、
移報信号を外部装置に送信する移報出力部と、
移報信号を外部装置から受信する移報入力部と、
前記無線部が前記火災連動鳴動信号を受信したあと前記ビーコン信号を更に受信したとき、又は前記火災連動鳴動信号を受信したあとシステム内で当該信号の伝送完了が確実に予想される時間が経過したときに前記移報出力部から移報信号を送信する一方、前記移報入力部が移報信号を受信したときに前記無線部から前記火災連動要求信号を送信する制御部とを備えていることを特徴とする移報装置。
【請求項２】
請求項1に記載の移報装置において、
前記移報出力部および前記移報入力部は、信号線によって前記外部装置に接続されていることを特徴とする移報装置。
【請求項３】
請求項１または２に記載の移報装置において、
警報を出力する警報部を更に備え、
前記制御部は、前記無線部が前記火災連動要求信号又は前記火災連動鳴動信号受信したとき、又は前記移報入力部が前記移報信号を受信したときに前記警報部を作動させることを特徴とする移報装置。
【請求項４】
それぞれシステム内に相互に無線伝送する複数の警報機を含み、これらの警報機は機器識別情報を含ませた火災信号を送信する一方、受信した火災信号中の機器識別符号に基づいて他システムに属する機器を除外し、火災発生時にはシステム内の全ての警報機が連動して警報を出力する、複数系統の無線連動型警報システムからなる火災警報連携システムであって、
前記複数系統の無線連動型警報システムの各々は請求項１乃至３のいずれか一項に記載の移報装置が付加されており、これらの移報装置の間で、前記移報信号を相互に伝送する構成にしていることを特徴とする火災警報連携システム。
【発明の詳細な説明】
【技術分野】
【０００１】
本発明は、無線連動型の火災警報システムに付加される移報装置、およびその移報装置によって連絡されてなる無線連動型の火災警報連携システムに関する。
【背景技術】
【０００２】
従来、複数の警報器からなる無線連動型の火災警報システムでは、親警報器から無線到達距離以上に離れた場所に子警報器を設置する場合は、次の特許文献１に示すように、その間に中継器を設置して制御信号を中継させていた。
【０００３】
また、無線連動型の火災警報システムで、警報器同士が常時同期通信を行う構成とすると、そのための同期信号を定期的に送出する親警報器の電力消費が激しくなる。その問題に関連して、特許文献２には、無線連動型の火災警報システムにおいて、通常時は間欠受信を行い、火災を検知すると同期通信に切り換えることが提案されている。
【先行技術文献】
【特許文献】
【０００４】
【特許文献１】特開2009-288899号公報
【特許文献２】特開2010-218587号公報
【発明の概要】
【発明が解決しようとする課題】
【０００５】
しかしながら、上記特許文献１、２を組み合わせた構成とした場合、火災を把握した親警報器が子警報器に対して火災信号を間欠的に繰り返し送信している間に、中継器の信号伝送が始まり、それがきっかけとなって、無線信号の衝突などの混乱が生じる不具合が予想される。そこで本発明は、そのようなシステムを構成したときに、通信の混乱を生じさせない移報装置を提供することを目的とする。
【課題を解決するための手段】
【０００６】
本発明は、システム内に相互に無線伝送する複数の警報機を含み、これらの警報機は機器識別情報を含ませた火災信号を送信する一方、受信した火災信号中の機器識別符号に基づいて他システムに属する機器を除外し、火災発生時にはシステム内の警報機が連動して警報を出力する、無線連動型の火災警報システムに付加される移報装置であって、前記無線伝送は、同期、非同期切替方式であり、前記火災信号は、火災検知した子警報器が送信する火災連動要求信号と、この火災連動要求信号を受けた親警報機がシステム内の警報機の連動警報のために送信する火災連動鳴動信号とを含んでおり、子警報器は前記火災連動要求信号又は前記火災連動鳴動信号を受信すると連動警報を開始し、更に火災連動鳴動信号を送信した親警報機はビーコン信号の周期的な送信を開始することで前記無線伝送を非同期から同期方式に切替え、前記移報装置は、前記火災信号を送受信する無線部と、移報信号を外部装置に送信する移報出力部と、移報信号を外部装置から受信する移報入力部と、前記無線部が前記火災連動鳴動信号を受信したあと前記ビーコン信号を更に受信したとき、又は前記火災連動鳴動信号を受信したあとシステム内で当該信号の伝送完了が確実に予想される時間が経過したときに前記移報出力部から移報信号を送信させる一方、前記移報入力部が移報信号を受信したときに前記無線部から前記火災連動要求信号を送信させる制御部とを備えていることを特徴とする。
【０００７】
前記移報出力部および前記移報入力部は、信号線によって外部装置に接続するとよい。
【０００８】
前記移報装置は、警報を出力する警報部を更に備え、前記制御部は、前記無線部が前記火災連動要求信号又は前記火災連動鳴動信号受信したとき、又は前記移報入力部が前記移報信号を受信したときに前記警報部を作動させてもよい。
【０００９】
また本発明は、それぞれシステム内に相互に無線伝送する複数の警報機を含み、これらの警報機は機器識別情報を含ませた火災信号を送信する一方、受信した火災信号中の機器識別符号に基づいて他システムに属する機器を除外し、火災発生時にはシステム内の全ての警報機が連動して警報を出力する、少なくとも２系統の無線連動型警報システムからなる火災警報連携システムであって、前記少なくとも２系統の無線連動型警報システムの各々は請求項１乃至３のいずれか一項に記載の移報装置が付加されており、これらの移報装置の間で、前記移報信号を相互に伝送する構成にしていることを特徴とする。
【発明の効果】
【００１０】
本発明によれば、移報装置は、同一システムでの火災信号の伝送の完了を待ってから移報信号を送出する。そのため、そのような移報装置によって２系統の火災警報システムを連絡した構成とすれば、火災感知したシステムでの火災信号の伝送が、移報を受けた側のシステムでの火災信号の伝送によって妨害されることがない。その結果、火災感知したシステムの警報器の一部が連動警報を出力しない等の不具合が防止でき、かつ他方のシステムの警報器による連動警報が少しの遅れで確実に開始される。
【図面の簡単な説明】
【００１１】
【図１】本発明による移報装置の基本的な機能ブロック図である。
【図２】警報器の基本的な機能ブロック図である。
【図３】本発明に係る警報システムの構成を説明する図である。
【図４】本発明に係る警報システムにおける信号伝送を示すチャート図である。
【発明を実施するための形態】
【００１２】
以下、本発明を適用した移報装置と、その移報装置が付加された無線連動型の火災警報システムとの構成を説明する。
【００１３】
まず移報装置１の基本構成を図１に従って説明する。
移報装置１は基本的に、移報信号を外部装置に送信する移報出力部１１と、移報信号を外部装置から受信する移報入力部１２と、警報器２との間で火災信号を送受信する無線部１３と、これらを制御する制御部１４とを備える。
【００１４】
より望ましい構成として、移報装置１は、火災警報を出力する音声警報部１５と、状態表示を行う表示灯部１６と、停止操作を受け付ける操作部１７等を更に備えるとよい。そうすれば、移報装置１でも警報が出力され、また停止操作も受け付けられるので、安全性、操作性がより向上する。
【００１５】
次いで、本発明に係る火災警報システムを構成する警報器２の基本構成を図２に従って説明する。
【００１６】
警報器２は基本的に、火災を感知する感知部２１と、火災警報を出力する音声警報部２５と、状態表示を行う表示灯部２６と、停止操作を受け付ける操作部２７と、他の警報器２との間で火災信号を送受信する無線部２３と、これらを制御する制御部２４とを備える。
【００１７】
警報器２は、機能的には親警報器２Ａ、子警報器２Ｂに区別されるが、基本構成は両者で共通している。
【００１８】
なお移報装置１の無線部１３、および警報器２の無線部２３は、ディップスイッチ等の設定によって、予め準備された通信チャネル（４チャネル程度から）の一つが事前に選択されている。当然であるが、同一システムに所属する警報器２や移報装置１は、共通の通信チャネルを使用する必要がある。
【００１９】
図３は、複数の警報器２を含み、移報装置１が付加された２系統の火災警報システムＳ１、Ｓ２を示している。システムＳ１、Ｓ２はそれぞれ独立した無線連動型のシステムであるが、移報装置１、１によって相互に移報し合う連携システムを構成する。このような連携システムは、簡単な例として、母屋にシステムＳ１が設置され、離れにシステムＳ２が設置されている場合などに好適である。
【００２０】
ここでは２系統のシステムＳ１、Ｓ２を連絡させているが、本発明は３系統以上のシステムを連絡させることも可能である。すなわち本発明は、ビルディングのフロアー毎、あるいは区画毎にシステムＳ１、Ｓ２、Ｓ３…が設置される場合等にも広く適用できる。
【００２１】
システムＳ１は、図３に示すように、例えば１台の親警報器２Ａと、３台の子警報器２Ｂ＃１〜２Ｂ＃３と、１台の移報装置１とで構成される。子警報器２Ｂの台数は、設置場所の条件等によってこれより多い場合も、少ない場合もあり得る。システムＳ２も同様である。以下適宜、システムＳ１に所属する機器は、それぞれの参照符号に（１）を追記し、システムＳ２に所属する機器は、それぞれの参照符号に（２）を追記して区別する。
【００２２】
システムＳ１、Ｓ２のいずれも、システム内の機器間で火災信号等を無線伝送することによって、連動警報や、警報の一斉停止等の連動動作が行われる。
【００２３】
システムＳ１、Ｓ２のそれぞれでは、基本的に、親警報器２Ａ対子警報器２Ｂ、あるいは親警報器２Ａ対移報装置１という形態で制御信号が無線伝送される。その制御信号には、少なくとも送信元の機器識別符号やグループ識別符号等が含まれるので、制御信号を受信した機器は、そこに含まれている識別符号を読み取って、反応動作するか無視するかを決定する。
【００２４】
そのため、親警報器２Ａには、子警報器２Ｂ＃１〜２Ｂ＃３、移報装置１の機器識別符号や、グループ識別符号等が事前に登録されている。同じく、子警報器２Ｂ＃１〜２Ｂ＃３、移報装置１には、親警報器２Ａの機器識別符号や、グループ識別符号等が事前に登録されている。このようにすれば、システムＳ１、Ｓ２のそれぞれは、他システムに所属する機器を除外して制御信号の伝送が行える。なお、機器識別符号の登録方法等には、従来技術が適用できるので説明を割愛する。
【００２５】
またシステムＳ１に所属する移報装置１（１）と、システムＳ２に所属する移報装置１（２）とは、例えばＬ−Ｃ等の信号線Ｌによって連絡されている。なお、移報装置１（１）、１（２）を無線によって連絡させてもよいが、無線の到達距離等を考慮すれば、信号線Ｌによって連絡させることが望ましい。
【００２６】
システムＳ１、Ｓ２のそれぞれでは、非同期、同期切替方式で制御信号が伝送される。すなわち火災監視中は、親警報器２Ａ、子警報器２Ｂ、移報装置１は、電力消費を抑えるために、非同期の間欠受信によって制御信号を確認する（キャリヤセンス）。非同期方式では、各機器が制御信号を連続して送出できる期間と、送信を停止すべき期間（キャリヤセンスを含む）とのデューティ比は、基本的には予め規定されている（３秒２秒ルール等）。
【００２７】
以下、システムＳ１、Ｓ２の連携動作の基本的な例を、システムＳ１の子警報器２Ｂ＃１（１）が火災を感知した場合について説明する。すなわち火災検知した子警報器２Ｂ＃１（１）は、火災警報の出力を開始するとともに、自身の機器識別符号等を含ませた火災連動要求信号を繰り返し送出する。
【００２８】
親警報器２Ａ（１）は、火災連動要求信号を間欠受信によって検出すると、その発信元が子警報器２Ｂ＃１（１）であることを認識して、連動警報を開始するとともに、自身の機器識別符号等を含ませた火災連動鳴動信号を繰り返し送出する。また子警報器２Ｂ＃２（１）、２Ｂ＃３（１）、移報装置１（１）も火災連動要求信号が受信できた場合は、その発信元が子警報器２Ｂ＃１（１）であることを認識して、連動警報を開始することができる。またシステムＳ２の親警報器２Ａ（２）も、火災連動要求信号を受信する可能性があるが、そこに含まれている機器識別符号がシステム外の機器のものであるから、その信号には反応せず無視する。
【００２９】
子警報器２Ｂ＃２（１）、２Ｂ＃３（１）、移報装置１（１）は、火災連動鳴動信号を間欠受信によって検出すると、その発信元が親警報器２Ａ（１）であることを確認して、連動警報を開始するとともに、自身の機器識別符号を含ませた応答信号を送出する。これらの機器が火災連動鳴動信号に対する応答信号を送出する遅延時間は、可変でも固定でもよいが、少なくとも機器毎に異なるべきである。そうすれば、応答信号同士が干渉する等の問題が生じない。なおシステムＳ２の子警報器２Ｂ＃１（２）〜２Ｂ＃３（２）、移報装置１（２）は、システムＳ１の親警報器２Ａ（１）の送出した火災連動鳴動信号には反応しない。
【００３０】
移報装置１（１）は、火災連動要求信号あるいは火災連動鳴動信号を受信すれば、システムＳ１における火災連動鳴動信号の伝送が完了するまで待機して、その伝送が完了したときに、信号線Ｌに移報信号を出力する。
【００３１】
火災連動鳴動信号の伝送完了は、少なくとも火災感知した子警報器２Ｂ＃１（１）以外の子警報器２Ｂ＃２（１）、２Ｂ＃３（１）が、親警報器２Ａ（１）の送出した火災連動鳴動信号を受信することで成立する。
【００３２】
ここに親警報器２Ａ（１）は、火災連動鳴動信号に対する各機器の応答信号を受信するので、応答信号に含まれた機器識別符号に基づいて、火災連動鳴動信号の伝送完了を判断できる。したがって、親警報器２Ａ（１）は伝送完了を判別したときに、所定の通知信号を送出して、その信号を移報装置１（１）に受信させてもよい。移報装置１（１）は、その通知信号を受信した時点で、移報信号を信号線Ｌに送出する。なお、この通知信号として、親警報器２Ａ（１）が同期方式の場合に周期的に送出するビーコン信号等を利用してもよい。
【００３３】
システムＳ１内の通信形態は、火災連動鳴動信号の伝送完了後に親警報器２Ａ（１）がビーコン信号を送出すれば、同期方式（ＴＤＭＡ）に切り替わる。同期方式では、各機器はビーコン信号によって割り当てられたタイムスロットに従って制御信号等を送出するので、信号同士の干渉等が生じず、確実かつ効率的な信号伝送ができる。
【００３４】
移報装置１（１）は、火災連動鳴動信号を最初に受信してから、火災連動鳴動信号の伝送完了が確実に予想される時間の経過を待って、移報信号を自動的に送出する構成としてもよい。あるいは、親警報器２Ａ（１）から通知信号を受信する構成と、所定時間の経過を待つ構成とを組み合わせてもよい。
【００３５】
移報装置１（１）が信号線Ｌに送出した移報信号は、システムＳ２の移報装置１（２）に伝送される。移報装置１（２）はその信号を検出すると、火災警報の出力を開始するとともに、自身の機器識別符号等を含ませた火災連動要求信号を送出する。この移報装置１（２）の動作は、上記において火災を感知したときの子警報器２Ｂ＃１（１）                                    の動作に類似している。
【００３６】
親警報器２Ａ（２）は火災連動要求信号を受信すると、その発信元が移報装置１（２）であることを確認して、連動警報を開始するとともに、自身の機器識別符号等を含ませた火災連動鳴動信号を繰り返し送出する。
【００３７】
子警報器２Ｂ＃１（２）〜２Ｂ＃３（２）は火災連動鳴動信号を受信すると、その発信元が親警報器２Ａ（１）であることを認識して、連動警報を開始するとともに、自身の機器識別符号等を含ませた応答信号を送出する。このようにして、移報信号を受けたシステムＳ２の各機器からも火災警報、連動警報が出力される。
【００３８】
警報停止の動作は、システムＳ１とシステムＳ２とで、それぞれ独立になされる。つまりシステムＳ１での停止操作によって、システムＳ２の警報が停止されることはなく、その逆も同様である。
【００３９】
警報停止の動作をシステムＳ１について説明する。この動作における制御信号の伝送は同期方式で行われる。たとえば子警報器２Ｂ＃２（１）で停止操作がなされると、子警報器２Ｂ＃２（１）は、連動警報の出力を停止するとともに、自身の機器識別符号等を含ませた連動停止要求信号を送出する。
【００４０】
親警報器２Ａ（１）は連動停止要求信号を受信すると、その発信元が子警報器２Ｂ＃２（１）であることを確認して、連動警報を停止するとともに、自身の機器識別符号等を含ませた火災連動停止信号を送出する。
【００４１】
子警報器２Ｂ＃１（１）、２Ｂ＃３（１）、移報装置１（１）は、火災連動停止信号を受信すると、その発信元が親警報器２Ａ（１）であることを確認して、火災警報あるいは連動警報を停止するとともに、自身の機器識別符号を含ませた応答信号を送出する。親警報器２Ａ（１）は、応答信号を受信すると、その発信元の機器識別符号に基づいて、火災連動停止信号の伝送完了を判断し、火災連動停止信号の送出を中止する。このあと、システムＳ１の通信形態は、非同期方式に切り替わる。なお、連動停止の手順は、移報装置１（１）で停止操作がなされた場合も同様である。
【００４２】
このように本発明によれば、２系統のシステムを移報装置によって連携させ、一方のシステムで火災が感知されたときに、そのシステムの機器のみでなく、他方のシステムの機器からも警報が出力される。したがって警報の聞こえる範囲が飛躍的に広がり、安全性が大きく向上する。
【００４３】
また火災感知したシステムの移報装置は、そのシステムでの火災鳴動連動信号の伝送の完了を待ってから移報信号を送出する。そのため、２つのシステムで同一の通信チャネルが使用されていても、火災感知したシステムでの火災鳴動連動信号の伝送が、他方のシステムでの無線通信によって妨害されることがない。すなわち、火災感知したシステムの警報器の一部が連動警報を出力しない等の不具合が防止でき、かつ他方のシステムの警報器による連動警報が少しの遅れで確実に開始される。なお、警報器や移報装置は、基本的に工場出荷時に全て同じ通信チャネルに設定されているので、２つのシステムで通信チャネルが重複する可能性は低いとは云えず、本発明は有用である。
【００４４】
図４は、２系統のシステムＳ１、Ｓ２における信号伝送を詳細に示すチャート図である。システムＳ１は、親警報器２Ａ（１）、子警報器２Ｂ＃１（１）、子警報器２Ｂ＃２（１）、移報装置１（１）よりなる。一方、システムＳ２は、親警報器２Ａ（２）、子警報器２Ｂ＃１（２）、移報装置１（２）よりなる。図中の三角マークは、キャリヤセンスを示している。
【００４５】
時刻（１）では、子警報器２Ｂ＃１（１）が火災感知して、火災警報の出力を開始するとともに、火災連動要求信号を送出している。火災感知直後の様子見は受信動作であって、他の機器が火災連動要求信号を送出していないことを確認している。
【００４６】
時刻（２）では、親警報器２Ａ（１）はその火災連動要求信号を受信して、連動警報の出力を開始している。また移報装置１（１）もその火災連動要求信号を受信して、連動警報の出力を開始している。子警報器２Ｂ＃２（１）は、子警報器２Ｂ＃１（１）から離れて設置されており、そのため子警報器２Ｂ＃１（１）の送出した電波は受信できないと想定している。
【００４７】
時刻（３）では、親警報器２Ａ（１）は火災連動要求信号が途切れたことを確認して、火災連動鳴動信号を送出している。移報装置１（１）は、その火災連動鳴動信号を受信している。しかし子警報器２Ｂ＃２（１）は、キャリヤセンスのタイミングが合わずに、その火災連動鳴動信号の受信に失敗している。
【００４８】
時刻（４）では、移報装置１（１）は、時刻（３）の火災連動鳴動信号に対する応答信号を送出している。
【００４９】
時刻（５）では、親警報器２Ａ（１）は火災連動鳴動信号を再び送出している。子警報器２Ｂ＃２（１）は、その火災連動鳴動信号を受信して、連動警報の出力を開始している。
【００５０】
時刻（６）では、子警報器２Ｂ＃２（１）は、時刻（５）の火災連動鳴動信号に対する応答信号を送出している。
【００５１】
時刻（７）では、親警報器２Ａ（１）は、火災連動鳴動信号の伝送完了（子警報器、移報装置からの応答信号の受信あり）を確認して、ビーコン信号を送出している。移報装置１（１）は、そのビーコン信号を受信して、信号線Ｌに移報信号を出力している。システムＳ２の移報装置１（２）は、その移報信号を検出して、移報火災に対する火災警報の出力を開始するとともに、火災連動要求信号を送出している。
【００５２】
時刻（８）では、親警報器２Ａ（２）、および子警報器２Ｂ＃１（２）はその火災連動要求信号を受信して、連動警報の出力を開始している。
【００５３】
時刻（９）では、親警報器２Ａ（２）は火災連動鳴動信号を送出している。子警報器２Ｂ＃１（２）は、その火災連動鳴動信号を受信している。
【００５４】
時刻（１０）では、子警報器２Ｂ＃１（２）は、時刻（９）の火災連動鳴動信号に対する応答信号を送出している。
【００５５】
時刻（１１）では、親警報器２Ａ（２）は、火災連動鳴動信号の伝送完了を確認して、ビーコン信号を送出している。
【符号の説明】
【００５６】
１            移報装置
１１          移報出力部
１２          移報入力部
１３          無線部
１４          制御部
１５          警報部
２            警報器
Ｌ            信号線
Ｓ１、Ｓ２    火災警報システム
【図１】
0005984108.tif 000002
【図２】
0005984108.tif 000003
【図３】
0005984108.tif 000004
【図４】
0005984108.tif 000005